【手続補正書】
【提出日】平成26年5月21日(2014.5.21)
【手続補正１】
【補正対象書類名】明細書
【補正対象項目名】００２０
【補正方法】変更
【補正の内容】
【００２０】
［他の適用例］  前記処理回路は、第１および第２の部分回路を含み、前記負荷検知部によって検知される負荷量は、前記第１および第２の部分回路の全体の負荷量であり、前記クロック生成回路は、前記第１の部分回路に対する前記クロック信号として、第１のクロックパルスを有する第１のクロック信号を生成する第１のクロック生成回路と、前記第２の部分回路に対する前記クロック信号として、前記第１のクロックパルスとは異なる周期による第２のクロックパルスを有する第２のクロック信号を生成する第２のクロック生成回路とを含み、前記クロック遮断回路は、前記第１のクロック生成回路から前記第１の部分回路に対する前記第１のクロックパルスの供給を遮断することによって、前記負荷検知部によって検知される前記第１および第２の部分回路の全体の負荷量に応じた割合で前記第１のクロックパルスを間引いて、前記第１のクロック信号を前記第１の部分回路に提供する第１のクロック遮断回路と、前記第２のクロック生成回路から前記第２の部分回路に対する前記第２のクロックパルスの供給を、前記第１のクロック遮断回路に同期して遮断することによって、前記負荷検知部によって検知される前記第１および第２の部分回路の全体の負荷量に応じた割合で前記第２のクロックパルスを間引いて、前記第２のクロック信号を前記第２の部分回路に提供する第２のクロック遮断回路とを含むとしても良い。この適用例によれば、相互に異なる動作周波数で動作する第１および第２の部分回路に対する第１のクロックパルスの供給と第２のクロックパルスの供給とを同期して遮断するため、これらを個別に遮断する場合と比較して、遮断前後における第１および第２の部分回路の間における信号のやり取りを容易に調整することができる。
【手続補正２】
【補正対象書類名】明細書
【補正対象項目名】００３２
【補正方法】変更
【補正の内容】
【００３２】
中継処理ボード３００のＡＳＩＣ３１０は、転送先決定回路３２０と、パケット処理回路３４０とを備える。転送先決定回路３２０は、ＡＳＩＣ３１０の一部を構成する第１の部分回路であり、宛先ＩＰアドレスに基づいてパケットの転送先ポートを決定する機能を実現する。パケット処理回路３４０は、ＡＳＩＣ３１０の一部を構成する第２の部分回路であり、パケットから宛先ＩＰアドレスを抽出する機能を実現する。ＡＣＩＣ３１０が備える部分回路は、転送先決定回路３２０およびパケット処理回路３４０の２つに限られず、ＡＳＩＣ３１０は、その他の部分回路として、フィルタ処理を行う部分回路、ＱｏＳ（Quality of Service）処理を行う部分回路、レイヤ（Layer）２転送処理を行う部分回路など、３つ以上の部分回路を備えても良い。
【手続補正３】
【補正対象書類名】明細書
【補正対象項目名】００３８
【補正方法】変更
【補正の内容】
【００３８】
中継処理ボード３００の遮断クロック部７２０ａは、ネットワーク中継装置１０における処理の負荷量に応じた割合でクロックパルスを間引いたクロック信号を、内部バスＩ／Ｆ３２６およびメモリＩ／Ｆ回路３２８，３２９を除く転送先決定回路３２０の各部に提供する。その転送先決定回路３２０の各部は、遮断クロック部７２０ａから提供されるクロック信号のクロックパルスに同期して動作する。中継処理ボード３００の遮断クロック部７２０ｂは、ネットワーク中継装置１０における処理の負荷量に応じた割合でクロックパルスを間引いたクロック信号を、内部バスＩ／Ｆ回路３２６，３４６に提供する。内部バスＩ／Ｆ回路３２６，３４６は、遮断クロック部７２０ｂから提供されるクロック信号のクロックパルスに同期して動作する。中継処理ボード３００の遮断クロック部７２０ｃは、ネットワーク中継装置１０における処理の負荷量に応じた割合でクロックパルスを間引いたクロック信号を、内部バスＩ／Ｆ回路３４６および外部バスＩ／Ｆ回路３４８を除くパケット処理回路３４０の各部に提供する。そのパケット処理回路３４０の各部は、遮断クロック部７２０ｃから提供されるクロック信号のクロックパルスに同期して動作する。遮断クロック部７２０ａ，７２０ｂ，７２０ｃによって提供されるクロック信号の詳細については後述する。
【手続補正４】
【補正対象書類名】明細書
【補正対象項目名】００６２
【補正方法】変更
【補正の内容】
【００６２】
本実施形態では、装置制御部１１０は、バッファ回路における記憶容量に対するデータ量の割合を負荷量として検知する。例えば、装置制御部１１０は、記憶容量に対するデータ量の割合が７５％を越える場合には、負荷量が「１００％」であると判断する。装置制御部１１０は、記憶容量に対するデータ量の割合が５０％を越え７５％以下の場合には、負荷量が「７５％」であると判断する。装置制御部１１０は、記憶容量に対するデータ量の割合が２５％を越え５０％以下の場合には、負荷量が「５０％」であると判断する。装置制御部１１０は、記憶容量に対するデータ量の割合が０％を越え２５％以下の場合には、負荷量が「２５％」であると判断する。装置制御部１１０は、記憶容量に対するデータ量の割合が０％の場合には、負荷量が「０％」であると判断する。
【手続補正５】
【補正対象書類名】明細書
【補正対象項目名】００６５
【補正方法】変更
【補正の内容】
【００６５】
部分回路毎にパルス遮断率を決定した後（ステップＳ１１６）、装置制御部１１０は、中継処理ボード３００およびインタフェイスボード５００における各クロック遮断回路７２６にパルス遮断率を設定する（ステップＳ１１８）。具体的には、装置制御部１１０は、転送先決定回路３２０のパルス遮断率を遮断クロック部７２０ａのクロック遮断回路７２６に設定し、パケット処理回路３４０のパルス遮断率を遮断クロック部７２０ｃのクロック遮断回路７２６に設定する。本実施形態では、装置制御部１１０は、内部バスＩ／Ｆ回路３２６，３４６のパルス遮断率を遮断クロック部７２０ｂのクロック遮断回路７２６に設定する。更に、装置制御部１１０は、送受信処理回路５１０のパルス遮断率を遮断クロック部７２０ｄのクロック遮断回路７２６に設定する。
【手続補正６】
【補正対象書類名】明細書
【補正対象項目名】００７４
【補正方法】変更
【補正の内容】
【００７４】
図１１の例では、単独の遮断クロック部７２０は、３種類のクロック信号ＳＣ２Ｌ，ＳＣ２Ｍ，ＳＣ２Ｈを単独の部分回路に提供する。クロック信号ＳＣ２Ｌは、部分回路における比較的に低速で動作する回路部分に提供されるクロック信号ＣＳ２である。クロック信号ＳＣ２Ｍは、部分回路における比較的に中速で動作する回路部分に提供されるクロック信号ＣＳ２である。クロック信号ＳＣ２Ｈは、部分回路における比較的に高速で動作する回路部分に提供されるクロック信号ＣＳ２である。図１１の例では、クロック信号ＣＳ２Ｌの周期を「Ｎ」としたとき、クロック信号ＣＳ２Ｍの周期は「Ｎ／２」であり、クロック信号ＣＳ２Ｈの周期は「Ｎ／４」である。図１１には、パルス遮断率「０％」、「２５％」、「５０％」、「７５％」に応じたクロック信号ＳＣ２Ｌ，ＳＣ２Ｍ，ＳＣ２Ｈを図示した。
【手続補正７】
【補正対象書類名】明細書
【補正対象項目名】００８８
【補正方法】変更
【補正の内容】
【００８８】
図６は、第２実施形態の遮断クロック部７２０によってクロック信号ＣＳ２を生成する様子を示す説明図である。図６には、パルス遮断率「０％」、「２５％」、「５０％」、「７５％」に応じたクロック信号ＣＳ２ａ，ＣＳ２ｂ，ＣＳ２ｃを図示した。クロック信号ＣＳ２ａは、遮断クロック部７２０ａから転送先決定回路３２０に対して提供されるクロック信号ＣＳ２である。クロック信号ＣＳ２ｂは、遮断クロック部７２０ｂから内部バスＩ／Ｆ回路３２６，３４６に対して提供されるクロック信号ＣＳ２である。クロック信号ＣＳ２ｃは、遮断クロック部７２０ｃからパケット処理回路３４０に対して提供されるクロック信号ＣＳ２である。本実施形態では、クロック信号ＣＳ２ａの周期を「Ｎ」としたとき、クロック信号ＣＳ２ｂの周期は「Ｎ／２」であり、クロック信号ＣＳ２ｃの周期は「Ｎ／４」である。
【手続補正８】
【補正対象書類名】明細書
【補正対象項目名】００９８
【補正方法】変更
【補正の内容】
【００９８】
クロック制御処理Ｐ１３０を開始すると、装置制御部１１０は、送受信処理回路５１０によって受け付けられたデータ量を確認する（ステップＳ１３２）。具体的には、装置制御部１１０は、送受信処理回路５１０において物理Ｉ／Ｆ部５１２を通じて受け付けられバッファ回路５１４に保存されているフレームまたはパケットのデータ量を、制御バス２００を通じて確認する。
【手続補正９】
【補正対象書類名】明細書
【補正対象項目名】０１０７
【補正方法】変更
【補正の内容】
【０１０７】
クロック制御処理Ｐ１４０を開始すると、装置制御部１１０は、情報取得部１１８として動作することによって、コンピュータネットワーク９００でやり取りされるデータ量を示す情報を他のネットワーク中継装置１０ｂから取得する（ステップＳ１４２）。具体的には、装置制御部１１０は、送受信処理回路５１０において物理Ｉ／Ｆ部５１２を通じて受け付けられた他のネットワーク中継装置１０ｂからの情報を、制御バス２００を通じて取得する。
【手続補正１０】
【補正対象書類名】明細書
【補正対象項目名】０１１０
【補正方法】変更
【補正の内容】
【０１１０】
各ＡＳＩＣのパルス遮断率を決定した後（ステップＳ１４６）、装置制御部１１０は、中継処理ボード３００およびインタフェイスボード５００における各クロック遮断回路７２６にパルス遮断率を設定し（ステップＳ１４８）、クロック制御処理Ｐ１４０を終了する。